(57)【要約】  用便に使用されるように意図された使い捨てトイレ。本発明は、使い捨てトイレが、用便に使用されるのに十分な大きさのバッグ１の形態であること、バッグ１が使用後に密封可能であること、バッグ１が流体に対して浸透性のない基本的に気密な材料から作られていること、バッグ１が、細菌、ウィルス、寄生虫などの腸内病原性微生物を不活性化するのに十分な量の尿素８を収容していること、バッグ１が、生分解性である材料５、６、７から作られていること、およびこの生分解性材料５、６、７が、前記尿素によって排泄物中の細菌、ウィルス、寄生虫などの微生物を不活性化するのに必要な期間中、流体に対して浸透性がないことを特徴とする。
2010519980.tif 000002
【特許請求の範囲】
【請求項１】
排尿および排便のために使用されるよう意図された使い捨てトイレであって、
前記使い捨てトイレは、用便に使用されるのに十分な大きさのバッグ（１）の形態であること、
前記バッグ（１）は使用後に密封可能であること、
前記バッグ（１）は、流体に対して不浸透性である本質的に気密な材料から作られていること、
前記バッグ（１）は、細菌、ウィルス、寄生虫などの腸内病原性微生物を不活性化するのに十分な量の尿素（８）を含むこと、
前記バッグ（１）は、生分解性である材料（５、６、７）から作られていること、および
前記生分解性材料（５、６、７）は、前記尿素によって排泄物中の細菌、ウィルス、寄生虫などの微生物を不活性化するために必要な期間中、流体に対して不浸透性であること
を特徴とする使い捨てトイレ。
【請求項２】
前記バッグは、使用後に前記バッグ（１）の開口部領域において前記バッグ自体の周囲でノットにより密封され得るのに十分な長さを有していることを特徴とする請求項１に記載の使い捨てトイレ。
【請求項３】
前記バッグ（１）は、前記バッグ（１）に取り付けられた糸（４）またはそれの等価物によって前記バッグ（１）の開口部領域において密封され得るのに十分な長さを有していることを特徴とする請求項１に記載の使い捨てトイレ。
【請求項４】
前記バッグは、好適な公知の添加物を含む、多糖類、例えば澱粉、アミロペクチン、アミロース、セルロース誘導体、キチン／キトサン、アルギン酸塩、カラゲナン、または脂肪族ポリエステル類、例えばポリ−Σ−カプロラクトン、ポリ乳酸、ポリグリコール酸、ポリアジピン酸、またはポリヒドロキシカノエート類、またはタンパク質類、またはポリエチレンなどのポリオレフィン類のグループからの材料から作られることを特徴とする請求項１、２、または３に記載の使い捨てトイレ。
【請求項５】
前記バッグは、単一材料から、または２種以上の前記材料の積層体の形態に作られることを特徴とする請求項４に記載の使い捨てトイレ。
【請求項６】
前記バッグは、２種以上の前記材料のコポリマーおよび／またはポリマー混合物である材料から作られることを特徴とする請求項４または５に記載の使い捨てトイレ。
【請求項７】
尿素（８）が本質的に前記バッグ（１）の内部表面全体に塗布されていることを特徴とする請求項１、２、３、４、５、または６に記載の使い捨てトイレ。
【請求項８】
尿素がバッグ（１）内に存在することを特徴とする請求項１、２、３、４、５、または６に記載の使い捨てトイレ。
【発明の詳細な説明】
【技術分野】
【０００１】
本発明は使い捨てトイレに関する。
【背景技術】
【０００２】
トイレおよび清潔な水を利用できるのは世界の人口のうちでもごく少数であり、トイレと水の不足は良好な衛生水準の維持を困難にしている。
【０００３】
この状況における１つの問題は、トイレが不足している地域においてトイレを建設または設置することができるようにインフラストラクチャを整備することが、多くの場合に可能でないことである。
【０００４】
細菌、ウィルス、および寄生虫などの病原性微生物は、屋外での排便の結果として、他の対象の中でもとりわけ水中に拡散され、人々が使用する水は、このようにして容易に汚染され、これによって病気が広まる。これは、人口密度が高い地域において特に見られる。トイレ・システムの導入の最も重要な理由は、排泄物経口感染の経路が、この方法で遮断されることである。
【発明の概要】
【発明が解決しようとする課題】
【０００５】
本発明は、使い捨てトイレを提供することによってこの問題を解決する。
【課題を解決するための手段】
【０００６】
従って本発明は、排尿および排便のために使用されるよう意図された使い捨てトイレに関し、このトイレは、この使い捨てトイレが用便に使用できるような十分な大きさのバッグ（１）の形態であること、このバッグ（１）が使用後に密封可能であること、このバッグ（１）が流体に対して浸透性のない本質的に気密な材料から作られていること、このバッグ（１）が細菌、ウィルス、寄生虫などの腸内病原性微生物を不活性化するために十分な量の尿素（８）を含むこと、このバッグ（１）が生分解性の材料（５、６、７）から作られていること、およびこの生分解性材料（５、６、７）が、前記尿素によって排泄物中の細菌、ウィルス、寄生虫などの微生物を不活性化するために必要な期間中、流体に対して浸透性がないことを特徴とする。
【０００７】
本発明は、添付の図面に示された本発明の実施例を部分的に参照して、以下により詳細に説明される。
【図面の簡単な説明】
【０００８】
【図１ａ】使用の準備が整った状態にある本発明によるバッグを示す図である。
【図１ｂ】図１に示された形態を達成するためにバッグがどのように展開されるかを示す手順の１つの図である。
【図１ｃ】図１に示された形態を達成するためにバッグがどのように展開されるかを示す手順の１つの図である。
【図１ｄ】図１に示された形態を達成するためにバッグがどのように展開されるかを示す手順の１つの図である。
【図２】折り畳まれた状態にあるバッグの概略断面図である。
【図３】図１ａによるバッグを上方から示す図である。
【図４】一実施例によるバッグの壁部の概略的且つ拡大された断面図である。
【発明を実施するための形態】
【０００９】
排尿および排便のために使用されるよう意図された本発明による使い捨てトイレが以下に説明される。
【００１０】
本発明によれば、この使い捨てトイレは、用便に使用できるような十分な大きさのバッグ１の形態である。そのようなバッグが図１ａに側面図で示されている。このバッグは図１ｂにおいて折り畳まれた状態で示され、これは従来の紙バッグが使用前にどのように折り畳まれているかに対応している。図１ｃはフラップ２がどのように展開されたかを示し、また図１ｄは第２のフラップ３がどのように展開されたかを示している。
【００１１】
続いて使用者は、バッグの側壁も展開されるように一方の手をバッグ内に差し入れる。図２は折り畳まれたバッグの断面を示している。展開された後のバッグの外観の上方からの概略が図３に示されている。
【００１２】
本発明によれば、バッグは使用者が用を足した後に密封可能である。バッグは流体に対して不浸透性の、基本的に気密な材料から作られている。
【００１３】
本発明の１つの本質的な特徴によれば、バッグは、排泄物中の病原性の細菌、ウィルスなどを不活性化するのに十分な量の化合物尿素（ｃｏｍｐｏｕｎｄ  ｕｒｅａ）（ＣＯ（ＮＨ２）２）を含んでいる。本発明の他の本質的な特徴によれば、バッグは生分解性材料から作られている。さらに、前記尿素によって排泄物中の病原性の細菌、ウィルス、寄生虫などを不活性化するために必要な期間中に流体に対して浸透性を持たない生分解性材料が選択されるべきである。尿素の十分な量はバッグ当たり２〜４ｇであるが、この量は必要に応じて調整可能である。不活性化の工程を強めるために、好適な補助化学薬品を追加することが可能である。
【００１４】
尿素が排泄物と接触すると、尿素はアンモニアと二酸化炭素に分解され、これはｐＨの上昇につながる。衛生化（ｈｙｇｉｅｎｉｓａｔｉｏｎ）の工程が始まると、他の生物学的活動は停止する。これは、バッグ内では嫌気性活動が生じていないことを意味している。もしバッグ内で嫌気性活動が生じることになれば、気体の生成に伴う問題が生じる可能性、すなわちバッグが裂けるほどの体積に気体が発達する可能性がある。
【００１５】
アンモニアは、高濃度において微生物を不活性化する化合物である。同時に、アンモニアの形態での窒素は重要な肥料用物質である。
【００１６】
衛生化の工程は、典型的には９〜１４日間かかる。
【００１７】
本発明の使い捨てトイレによれば、バッグは、使用者が用を足した後に密封され、その後、バッグの壁部材料が分解する前に病原性の細菌およびウィルス、寄生虫などの不活性化が達成される。従って排泄物が漏出し得る程度にまで壁部材料が分解した時には、排泄物は有毒ではなくなり、耕作において肥料用物質として使用可能である。
【００１８】
好ましい一実施例によれば、バッグは十分な長さを有し、それによって、バッグの開口領域においてバッグ自体の周囲のノット（結び目）によりバッグ１を密封することができる。
【００１９】
好ましい代案実施例によれば、バッグは十分な長さを有し、それによって、バッグに取り付けた糸４またはその等価物によりバッグ１の開口領域においてバッグ１を密封することができる。図１において、糸４は点線で示されている。
【００２０】
１つの好ましいデザインによれば、バッグは多糖類、例えば澱粉、アミロペクチン、アミロース、セルロース誘導体、キチン／キトサン、アルギン酸塩、カラゲナン、ならびに脂肪族ポリエステル類、例えばポリ−Σ−カプロラクトン、ポリ乳酸、ポリグリコール酸、ポリアジピン酸、およびポリヒドロキシカノエート類のグループからの材料で作られている。さらに、タンパク質類、およびポリオレフィン類、例えばポリエチレンが、好適な公知の添加物とともに使用可能である。
【００２１】
一実施例によれば、バッグは、前記材料の２種または３種の積層体である材料から作られている。
【００２２】
さらなる実施例によれば、バッグは、２種以上の前記材料のコポリマーおよび／またはポリマー混合物である材料から作られている。
【００２３】
バッグは、積層体、コポリマーおよび／またはポリマー混合体の組合せとして作ることが可能である。
【００２４】
図４は、バッグの壁部を通る断面の図を示している。参照番号５によって示されている層は防湿材である。６によって示されている層は気体遮断材であり、７によって示されている層は防湿材である。
【００２５】
好ましい一実施例によれば、尿素は、本質的にバッグの内部表面全体に塗布されている。このようにして尿素は、図４に示されたように層８によりバッグの内部表面上に十分に厚い層を形成し、それによって上述の不活性化を達成することが可能となる。
【００２６】
代案実施例によれば、尿素は、例えば顆粒または粉末の形態でバッグ内に存在する。
【００２７】
いくつかの実施例を上で説明してきた。しかし、バッグの形態は、展開された状態にある時にバッグが漏斗形状の上部に円形の断面を有するように変形可能であることは明らかである。さらに、漏斗形状の上部は、使用者がバッグを保持可能であるように、また使用者がバッグを保持している手の上に漏斗の上部を折り曲げ可能であるように、十分に幅広くすることが可能である。
【００２８】
バッグは、その目的にとにかく合う任意の好適な形態を有することができ、この理由のために、上で詳述した形態が例示の目的のために与えられた実施例に過ぎないことは明らかである。
【００２９】
さらに、バッグの強度は、壁部の厚さにより変更可能である。バッグは、一定でない厚さを有していてもよく、その場合、例えば、使用者に保持されるバッグの開放部分は、バッグの上部よりも厚い壁厚を有している。
【００３０】
従って本発明は、上で詳述した実施例に限定されるものと考えるべきではない。なぜなら本発明は、添付の特許請求の範囲により詳述する範囲内で変更可能であるからである。
【図１ａ】
2010519980.tif 000003
【図１ｂ】
2010519980.tif 000004
【図１ｃ】
2010519980.tif 000005
【図１ｄ】
2010519980.tif 000006
【図２】
2010519980.tif 000007
【図３】
2010519980.tif 000008
【図４】
2010519980.tif 000009
【国際調査報告】
2010519980.tif 000010
2010519980.tif 000011
2010519980.tif 000012